【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
基部と、
前記基部より上に着脱可能に取り付けられるように寸法決めされ、形づくられる底部リングと、
選択可能な高さのタワーに着脱可能に組み立てられ、前記底部リングより上に取り付けられるように、寸法決めされ、形づくられる複数の積み重ね可能なリングであって、前記複数の積み重ね可能なリングがそれぞれ、外径と、開放頂部と、前記外径の少なくとも７５％の大きさを有する中央に配された第１の開口部を有する底部とを有する略円筒体、及び前記底部から前記頂部まで延在する１つまたは複数の側壁を有し、前記１つまたは複数の側壁が、複数の、前記１つまたは複数の側壁の上縁に沿って略周辺で外方に延在する突起部を画定し、前記タワーが、前記タワーの頂部から導入される土壌を保持するように、寸法決めされ、形づくられ、位置付けられる第１の内部を備え、第１の外面が、前記積み重ね可能なリングの連続的に積み重ねられたものの間で第２の開口部を画定し、前記第２の開口部が、前記第１の内部からそれを通して植物の成長を容易にするように寸法決めされ、形づくられ、位置付けられ、前記第２の開口部が、前記外方に延在する突起部によって画定される外縁を有する、リングと、
それぞれが、複数の第１の接続部材と複数の第２接続部材とを備える前記複数の積み重ね可能なリングであって、前記第１の接続部材はそれぞれ、前記積み重ね可能なリングの外方に延在する複数の突起部の一つの下方中央の前記底部上に位置し、前記第２の接続部材はそれぞれ、前記積み重ね可能なリングの隣り合う前記外方に延在する突起部間の中央の前記頂部上に位置し、前記第１及び第２の接続部材は、前記積み重ね可能なリングが積み重ねられ接続されたとき、各積み重ね可能なリングの外方に延在する突起部が隣接する積み重ね可能なリングの外方に延在する突起部の間に位置するように、前記積み重ね可能なリングの回転方向の位置を決め、連続して積み重ねたリングを着脱可能に接続するように構成される、前記リングと、
選択可能な高さの中空の堆肥チューブアセンブリに着脱可能に組み立てられ、前記タワーの第１の内部内で前記基部より上に取り付けられるように寸法決めされ、形づくられた複数の積み重ね可能なチューブ部分であって、前記堆肥チューブアセンブリが、前記堆肥チューブアセンブリの頂部から導入される堆肥材料を保持するように寸法決めされ、形づくられ、位置付けられる第２の内部を備え、第２の外面が、前記第２の内部からそれを通るウォームの通過を容易にするように寸法決めされ、形づくられ、位置付けられる第２の開口部をその中に画定する、チューブ部分と、
を備えるモジュール式堆肥化ガーデンコンテナシステムであって、
前記基部が、前記土壌または前記堆肥材料あるいはその両方からの栄養豊富な排水を受け、蓄え、前記排水へのアクセスを提供するように寸法決めされ、形づくられ、位置付けられる、モジュール式堆肥化ガーデンコンテナシステムを提供し、
前記複数の積み重ね可能なチューブ部分を選択可能な高さの堆肥チューブアセンブリに着脱可能に組み立て、前記堆肥チューブアセンブリをタワーの第１の内部で基部より上に取り付け、
前記堆肥チューブアセンブリを前記タワーに着脱可能に接続する、
ステップを含む、モジュール式堆肥化ガーデンコンテナシステムの使用方法。
【請求項２】
前記底部リングを前記基部に接続し、
前記タワーを前記底部リングに接続する
ステップをさらに含む、請求項１に記載のモジュール式堆肥化ガーデンコンテナシステムの使用方法。
【請求項３】
前記第１の内部を土壌で実質的に満たし
堆肥材料を前記第２の内部に配置し、
ウォームを前記第２の内部に配置し、
前記第２の開口部を通して複数の植物を前記土壌に植え付け、
前記土壌または前記堆肥材料あるいはその両方に水を加える、
ステップをさらに含む、請求項１に記載のモジュール式堆肥化ガーデンコンテナシステムの使用方法。
【請求項４】
前記土壌または前記堆肥材料あるいはその両方からの栄養豊富な排水を前記基部から除去し、
前記土壌または前記堆肥材料あるいはその両方に前記栄養豊富な排水を戻す、
ステップをさらに含む、請求項３に記載のモジュール式堆肥化ガーデンコンテナシステムの使用方法。
【請求項５】
前記基部からスクリーン要素を除去し、
前記堆肥材料の少なくとも一部を前記堆肥チューブアセンブリの底部を通して前記堆肥チューブアセンブリから出す、
ステップをさらに含む、請求項３に記載のモジュール式堆肥化ガーデンコンテナシステムの使用方法。
【請求項６】
基部と、
前記基部より上に着脱可能に取り付けられるように寸法決めされ、形づくられる底部リングと、
選択可能な高さのタワーに着脱可能に組み立てられ、前記底部リングより上に取り付けられるように、寸法決めされ、形づくられる複数の積み重ね可能なリングであって、前記複数の積み重ね可能なリングがそれぞれ、外径と、開放頂部と、前記外径の少なくとも７５％の大きさを有する中央に配された第１の開口部を有する底部とを有する略円筒体、及び前記底部から前記頂部まで延在する１つまたは複数の側壁を有し、前記１つまたは複数の側壁が、複数の、前記１つまたは複数の側壁の上縁に沿って略周辺で外方に延在する突起部を画定し、前記タワーが、前記タワーの頂部から導入される土壌を保持するように、寸法決めされ、形づくられ、位置付けられる第１の内部を備え、第１の外面が、前記積み重ね可能なリングの連続的に積み重ねられたものの間で第２の開口部を画定し、前記第２の開口部が、前記第１の内部からそれを通して植物の成長を容易にするように寸法決めされ、形づくられ、位置付けられ、前記第２の開口部が、前記外方に延在する突起部によって画定される外縁を有する、リングと、
それぞれが、複数の第１の接続部材と複数の第２接続部材とを備える前記複数の積み重ね可能なリングであって、前記第１の接続部材はそれぞれ、前記積み重ね可能なリングの外方に延在する複数の突起部の一つの下方中央の前記底部上に位置し、前記第２の接続部材はそれぞれ、前記積み重ね可能なリングの隣り合う前記外方に延在する突起部間の中央の前記頂部上に位置し、前記第１及び第２の接続部材は、前記積み重ね可能なリングが積み重ねられ接続されたとき、各積み重ね可能なリングの外方に延在する突起部が隣接する積み重ね可能なリングの外方に延在する突起部の間に位置するように、前記積み重ね可能なリングの回転方向の位置を決め、連続して積み重ねたリングを着脱可能に接続するように構成される、前記リングと、
選択可能な高さの中空の堆肥チューブアセンブリに着脱可能に組み立てられ、前記タワーの第１の内部内で前記基部より上に取り付けられるように寸法決めされ、形づくられた複数の積み重ね可能なチューブ部分であって、前記堆肥チューブアセンブリが、前記堆肥チューブアセンブリの頂部から導入される堆肥材料を保持するように寸法決めされ、形づくられ、位置付けられる第２の内部を備え、第２の外面が、前記第２の内部からそれを通るウォームの通過を容易にするように寸法決めされ、形づくられ、位置付けられる第２の開口部をその中に画定する、チューブ部分と、
を備えるモジュール式堆肥化ガーデンコンテナシステムであって、
前記基部が、前記土壌または前記堆肥材料あるいはその両方からの栄養豊富な排水を受け、蓄え、前記排水へのアクセスを提供するように寸法決めされ、形づくられ、位置付けられ、
前記基部は、
土壌または堆肥材料あるいはその両方からの栄養豊富な排水へのアクセスを提供する引き出しと、
その外縁に近接して内部に形成された上向きの環状の溝を有する上部と、
その外縁に近接して内部に形成された下向きの環状の溝を有する下部を備える前記底部リングと、
前記上向きの環状の溝と前記下向きの環状の溝との間に隣接して配置された複数の回転可能なベアリングと、
を備え、
前記複数の積み重ね可能なリング、前記底部リング、及び前記複数の積み重ね可能なチューブ部分は、モジュール式堆肥化ガーデンコンテナシステムが組み立てられて、前記複数の積み重ね可能なリングが土壌で満たされたとき、前記複数の積み重ね可能なリング、前記底部リング、及び前記複数の積み重ね可能なチューブ部分のすべてが、前記基部又は前記引出しの位置を変更しないで、共通の軸を中心に前記基部に対して一緒に回転可能なように、前記基部上に回転可能に載置されるように構成された、
モジュール式堆肥化ガーデンコンテナシステムを提供し、
前記底部リングを前記基部に着脱可能に組み立て、
前記複数の積み重ね可能なリングを選択可能な高さのタワーに着脱可能に組み立て、
前記タワーを前記底部リングに着脱可能に組み立て、
前記複数の積み重ね可能なチューブ部分を、選択可能な高さの堆肥チューブアセンブリに着脱可能に組み立て、前記堆肥チューブアセンブリを前記タワーの第１の内部で前記基部より上に取り付け、
前記堆肥チューブアセンブリを前記タワーに着脱可能に接続し、
前記第１の内部を土壌で実質的に満たし
堆肥材料を前記第２の内部に配置し、
ウォームを前記第２の内部に配置し、
前記第２の開口部を通して複数の植物を前記土壌に植え付け、
前記土壌または前記堆肥材料あるいはその両方に水を加え、
前記複数の積み重ね可能なリング、前記底部リング、及び前記複数の積み重ね可能なチューブ部分を、共通の軸を中心に前記基部に対して一緒に回転させる、
ステップを含む、モジュール式堆肥化ガーデンコンテナシステムの使用方法。
【請求項７】
前記土壌または前記堆肥材料あるいはその両方からの栄養豊富な排水を前記基部から除去し、
前記土壌または前記堆肥材料あるいはその両方に前記栄養豊富な排水を戻す、
ステップをさらに含む、請求項６に記載のモジュール式堆肥化ガーデンコンテナシステムの使用方法。
【請求項８】
前記基部からスクリーン要素を除去し、
前記堆肥材料の少なくとも一部を前記堆肥チューブアセンブリの底部を通して前記堆肥チューブアセンブリから出す、
ステップをさらに含む、請求項６に記載のモジュール式堆肥化ガーデンコンテナシステムの使用方法。